(57)【要約】  【課題】繊維ウエブに対して交絡処理を行うためにノズル部から噴出したジェット水流の飛散水を、効率的に集めて除去することのできる交絡処理装置を提供する。  【解決手段】ノズル孔７から噴射されたジェット水流１０は、ネット状無端コンベア３によって搬送される繊維ウエブ２内を貫通して繊維同士を交絡させ、繊維ウエブ２を通過したジェット水流はネット状無端コンベア３の下面側に配した吸引ボックス１１により吸引除去される。前記ジェット水流１０のうち繊維ウエブ２の表面から跳ね返った飛散水１２は、ノズル部４の上流側に配した飛散水受部１５により集められて外部に排出される。飛散水受部１５の横断面形状は、飛散水１２を集める凹部１７と衝突した飛散水１２を捕捉する受面部１８とを備えた形状となっている。  【選択図】図１
2005344259.tif 000002
【特許請求の範囲】
【請求項１】
ジェット水流により繊維同士を交絡させて不織布を製造する交絡処理装置において、
繊維ウエブの搬送路における前記ジェット水流を噴出するノズル部の少なくとも上流側近傍に、前記ノズル部から噴出したジェット水流の飛散水を受ける飛散水受部を配設してなり、
同飛散水受部が、前記ノズル部と略平行に配した長尺体を備え、
同長尺体の横断面形状において、前記飛散水が集められる凹部と、飛散した飛散水を捕らえて前記凹部に集める受面部とを有してなることを特徴とする交絡処理装置。
【請求項２】
前記長尺体が、前記ノズル部側に開口した略Ｃ字状横断面を有してなることを特徴とする請求項１記載の交絡処理装置。
【請求項３】
前記長尺体が、前記ノズル部側に開口し、同ノズル部側に傾斜した略Ｊ字状横断面を有してなることを特徴とする請求項１記載の交絡処理装置。
【請求項４】
前記長尺体の一端部に前記凹部内を通水させる通水口が配設され、同長尺体の他端部に前記凹部内を通水した水を排水する排水口が配設されてなることを特徴とする請求項１〜３のいずれかに記載の交絡処理装置。
【請求項５】
前記ノズル部先端における前記搬送路の搬送方向と交差する側縁のうち少なくとも前記搬送路の上流側に位置する側縁に、前記飛散水との衝突を避ける面取りが施されてなることを特徴とする請求項１〜４のいずれかに記載の交絡処理装置。
【発明の詳細な説明】
【技術分野】
【０００１】
本発明は、ジェット水流により繊維同士を交絡させて不織布を製造する交絡処理装置に関するものであり、特に、ジェット水流の飛散水を捕捉することのできる交絡処理装置に関するものである。
【背景技術】
【０００２】
従来から繊維ウエブに対してジェット水流を噴射して、繊維同士を機械的に絡み込ませることにより交絡させ不織布を製造する交絡処理装置は広く知られている。これらの交絡処理装置では、ジェット水流は複数の開口を有するノズルから噴射され、繊維ウエブを挟んで前記ノズルに対向した部位には、繊維ウエブを通った水を吸引する吸引ボックスが配設されている。
【０００３】
繊維ウエブ表面に衝突したジェット水流の大部分は、繊維同士を絡み込ませながら繊維間を通り吸引ボックスにより吸引されるが、繊維ウエブ表面に衝突したジェット水流の一部は、繊維ウエブの表面から跳ね返り、飛散水となって四方に飛散してしまう。しかも、飛散した飛散水の大部分は、再び繊維ウエブの表面に落下して溜まってしまうことになる。
【０００４】
交絡処理前の繊維ウエブ表面に飛散した飛散水が留まると、留まった飛散水はノズルから噴射されたジェット水流に対する緩衝材として作用し、ジェット水流を繊維ウエブの底面まで到らなくさせてしまう。このため、繊維同士の交絡度を高めることができなくなり、また、繊維ウエブ等の地合いを崩してしまうことになった。
【０００５】
繊維ウエブ表面に留まった飛散水を貫通してジェット水流を繊維ウエブの底面まで到達させるためには、ジェット水流の水圧を更に高圧にしなければならなかった。あるいは吸引ボックスの吸引力を高めることや、ジェット水流の水圧及び吸引ボックスの吸引力を高めることを行わなければならなかった。しかも、ジェット水流の水圧を高めるためには、あるいは吸引ボックスの吸引力を高めるためには、高圧を発生させることのできる高価なポンプを用意しなければならないという問題があった。
【０００６】
また、飛散した水の中には繊維くずが含まれており、この繊維くずが交絡処理前の繊維ウエブ表面に飛散水とともに付着して交絡処理位置まで来ると、ジェット水流によって繊維ウエブ表面と繊維くずとの間での絡み込みが行われ、細かく絡まった表面層を形成しまうことになる。このような細かく絡まった表面層が形成されると、吸引ボックスによる排水が妨害され、十分な排水を行えなくなってしまう。このようにして製造された不織布は、浸透性が非常に悪いものとなってしまい、交絡自体も繊維ウエブの中まで十分に行われず、不織布としての特性を十分に発揮させることができなくなる。
【０００７】
繊維ウエブの表面から跳ね返った飛散水が再び繊維ウエブ表面に留まるのを防止するため、繊維ウエブの表面から跳ね返った飛散水を捕えるデフレクタープレートを配設したシート材形成装置（特許文献１参照。）が提案されている。
【０００８】
特許文献１に記載されたデフレクタープレート４３は、図５に示す構成となっている。即ち、図５では、上方走行用のスクリーンベルト４２と下部走行用の多孔性キャリアベルト４０との間に挟まれた繊維ウエブ４８が、図５の左側から右側に搬送され交絡用のジェットヘッド４１の下を通過することで交絡が行われる様子が示されている。
【０００９】
多孔性キャリアベルト４０の下方には、滑らかな不浸透性支持テーブル４５が配され、多孔性キャリアベルト４０は、不浸透性支持テーブル４５の上面に接触しながら走行する。ジェットヘッド４１の直下における不浸透性支持テーブル４５の中央には、多孔性キャリアベルト４０を横切る形でスロット形状としたギャップ４６が配設されている。同ギャップ４６の下には、吸引ボックス４７が配置されている。
【００１０】
ジェットヘッド４１から噴射されたジェット水流のうち、繊維ウエブ４８の上面から又はスクリーンベルト４２から跳ね返った飛散水は、ジェットヘッド４１に近接して配設されたデフレクタープレート４３により集められる。デフレクタープレート４３に集められた水は、デフレクタープレート４３の上方に配置された吸引チューブ４４により吸引され、外部に除去される。また、ジェットヘッド４１から噴射されたジェット水流のうち大部分の水は、繊維ウエブを通って吸引ボックス４７に吸引されて外部に除去される。
【００１１】
これにより、繊維ウエブ４８の上面から又はスクリーンベルト４２から跳ね返った飛散水は、再び繊維ウエブ４８上に落下しないようにデフレクタープレート４３上に集めることができ、デフレクタープレート４３上に集められた水は、吸引ボックス４７を通して外部に排出することができる。
【特許文献１】特表２００３−５３５９８９号公報
【発明の開示】
【発明が解決しようとする課題】
【００１２】
特許文献１に示されたシート材形成装置では、繊維ウエブ４８の上面から又はスクリーンベルト４２から跳ね返った飛散水は、ジェットヘッド４１の先端部に一度衝突させた後、ジェットヘッド４１からの跳ね返り水としてデフレクタープレート４３上に集める構成となっている。
【００１３】
このため、繊維ウエブ４８の上面、スクリーンベルト４２上、ジェットヘッド４１の先端部及びデフレクタープレート４３の裏面側との間においてジェット流の衝突が繰り返され、ジェットヘッド４１の先端部近傍において霧の発生を促進させてしまうことになる。このようにして発生した霧は、デフレクタープレート４３の裏面側や、繊維ウエブの表面に付着することになる。デフレクタープレート４３の裏面側に付着した霧は、集まって水滴となり繊維ウエブ表面上に落下してしまう。このように、ジェットヘッド４１による飛散水が、再び交絡処理前の繊維ウエブ上に溜まってしまうことが避けられなかった。
【００１４】
また、デフレクタープレート４３上に集められた水を排出するためには、吸引チューブ４４を設けなければならない。しかも吸引チューブ４４により、略水平状に配されたデフレクタープレート４３上の水を吸引するためには、吸引チューブ４４の吸引力を高めなければならず、吸引力の大きな大型の吸引ポンプを別途用意しなければならなかった。しかし、吸引チューブ４４の吸引力を高めたとしても、デフレクタープレート４３上の水を全て吸引排除することはできなかった。
【００１５】
このため、デフレクタープレート４３上に集められた水を全て排除することができず、デフレクタープレート４３のジェット流側の端縁から溢れ出て垂れ流れてしまったり、飛散水に含まれる繊維くずを伝わって垂れ流れたりして、デフレクタープレート４３から垂れ流れた水が繊維ウエブ上に落下しまう問題があった。
【００１６】
本願発明では、これらの問題を解決し、ノズル部から噴出したジェット水流の飛散水を効率的に集めて除去することのできる交絡処理装置を提供することにある。
【課題を解決するための手段】
【００１７】
本願発明の課題は請求項１〜５に記載された各発明により達成することができる。
即ち、本願発明では請求項１に記載したように、ジェット水流により繊維同士を交絡させて不織布を製造する交絡処理装置において、繊維ウエブの搬送路における前記ジェット水流を噴出するノズル部の少なくとも上流側近傍に、前記ノズル部から噴出したジェット水流の飛散水を受ける飛散水受部を配設してなり、同飛散水受部が、前記ノズル部と略平行に配した長尺体を備え、同長尺体の横断面形状において、前記飛散水が集められる凹部と、飛散した飛散水を捕らえて前記凹部に集める受面部とを有してなることを最も主要な特徴となしている。
【００１８】
また、本願発明では請求項２に記載したように、前記長尺体が、前記ノズル部側に開口した略Ｃ字状横断面を有してなることを主要な特徴となしている。
更に、本願発明では請求項３に記載したように、前記長尺体が、前記ノズル部側に開口し、同ノズル部側に傾斜した略Ｊ字状横断面を有してなることを主要な特徴となしている。
【００１９】
更にまた、本願発明では請求項４に記載したように、前記長尺体の一端部に前記凹部内を通水させる通水口が配設され、同長尺体の他端部に前記凹部内を通水した水を排水する排水口が配設されてなることを主要な特徴となしている。
また、本願発明では請求項５に記載したように、前記ノズル部先端における前記搬送路の搬送方向と交差する側縁のうち少なくとも前記搬送路の上流側に位置する側縁に、前記飛散水との衝突を避ける面取りが施されてなることを主要な特徴となしている。
【発明の効果】
【００２０】
本願発明では、繊維ウエブの搬送路においてジェット水流を噴出するノズル部の少なくとも上流側近傍に配設して、前記ジェット水流の飛散水を受ける飛散水受部の構成を、前記ノズル部と略平行に配した長尺体を備えた構成とし、同長尺体の横断面形状として、前記飛散水を集めることのできる凹部と、飛散した飛散水を捕らえて前記凹部に集めることのできる受面部とが形成されている形状としたことを特徴としている。
【００２１】
これにより、ジェット水流の飛散水を直接的に及び／又は間接的に凹部により集めることができるようになる。しかも、同凹部を飛び越した飛散水は受面部によって捕捉することができ、受面部によって捕捉した飛散水は受面部上を伝わって流れる水滴として、あるいは受面部からの跳ね返り水として前記凹部に集めることができる。しかも、飛散水に含まれる繊維くずも、飛散水と共に前記凹部に集めることができるので、飛散水や飛散水に含まれる繊維くずが再び交絡処理前の繊維ウエブの表面上に付着するのを防止することができる。
【００２２】
飛散水受部の配設位置としては、繊維ウエブの搬送路におけるジェット水流を噴出するノズル部の上流側近傍以外にも同ノズル部の下流側近傍にも飛散水受部を配設することができる。これにより、繊維くずを含んだ飛散水を繊維ウエブ表面に付着させたままの状態でノズル部下流における各種処理工程に搬入されるのを防止することができる。即ち、前記各種処理工程における処理を、飛散水の影響を除去した状態でそれぞれの処理を行うことができるようになり、各処理に対して飛散水や繊維くずが悪影響を与えるのを防止することができる。
【００２３】
前記受面部による飛散水の効率的な捕捉を行うために、前記長尺体の横断面形状として前記受面部の端部と凹部の端部とにより形成される開口、即ち、飛散水が入り込む開口を広く形成し、入口から中に入るに従って順次狭くなる形状とすることができる。また、受面部を外側に湾曲して膨らんだ曲線形状として形成し、受面部に衝突した飛散水が凹部に集まるような形状、即ち、凹曲面としての前記曲線形状における焦点領域に前記凹部の領域が配設されるように形成することもできる。これにより、受面部に衝突した飛散水は、前記凹部に集中的に集めることができるようになる。
【００２４】
本願請求項２に記載したように、前記長尺体の横断面形状を、前記ノズル部側に開口した略Ｃ字状横断面形状とすることも、請求項３に記載したように、前記ノズル部側に開口し、同ノズル部側に傾斜した略Ｊ字状横断面形状とすることもできる。
【００２５】
ここで略Ｃ字状横断面形状及び略Ｊ字状横断面形状は、前記長尺材における横断面を同長尺材の一端部側又は他端部側から見ることによって略Ｃ字状横断面形状及び略Ｊ字状横断面形状として認識させるものを全て包含するものである。前記長尺材の一端部側から見たときに略Ｃ字状横断面形状及び略Ｊ字状横断面形状として認識することができないときには、即ち、前記一端部側から見たとき略逆Ｃ字状又は略逆Ｊ字状と認識されるときは、前記長尺材の他端部側から見ることにより略Ｃ字状横断面形状及び略Ｊ字状横断面形状として認識することができる形状をも本願発明には当然に包含しているものである。
【００２６】
請求項４に記載したように、前記長尺体の一端部に前記凹部内に通水させる通水口を配設し、同長尺体の他端部に前記凹部内を通水した水を排水する排水口を配設することができる。これにより、常に長尺材の凹部内を通水によって洗い流すことができ、しかも、同通水に巻き込んで前記凹部の縁等に付着した水滴等も同凹部の内側に集めることができるので、飛散水に含まれる繊維くずが凹部内に付着して堆積するのを防止することができる。また、前記凹部に付着した繊維くずを介して凹部内の水が外部にしたり落ちたり、堆積した繊維くずが凹部内の水とともに繊維ウエブ上にボタ落ちしたりすることを防止できる。
【００２７】
また、長尺材の凹部内を通水により洗い流すことで、凹部内の水位を一定以下に保つことが可能となり、凹部内から水があふれ出るのを防止することができる。しかも、通水という簡単な装置により、特許文献１に記載したような大掛かりな装置を用いることなく、飛散水の回収を容易に行うことができるようになる。排水口から回収した水は、フィルター等によるろ過後、通水用の水として、あるいはジェット水流用の水として再利用を図ることができる。
【００２８】
請求項５に記載したように、前記ノズル部先端における前記搬送路の搬送方向と交差する側縁のうち少なくとも前記搬送路の上流側に位置する側縁に、前記飛散水との衝突を避ける面取りを施しておくことができる。前記ノズル部先端の側縁に面取りを施すことにより、繊維ウエブから跳ね返った飛散水が、ノズル先端部と衝突することが防止でき、前記飛散水がノズル先端部によって跳ね返されることなく前記飛散水受部で捕捉することができるようになる。このため、飛散水による霧の発生も防止することができる。
【００２９】
ノズル部から噴射したジェット水流は、その流速、水圧がほぼ一定の状態で使用されるため、繊維ウエブ表面からの反射角度は、同ジェット水流の流速や水圧、繊維ウエブの搬送速度、ノズル部と繊維ウエブとの間の間隙等によって決まる略一定の反射角度となる。したがって、使用するジェット水流の流速、水圧、繊維ウエブの搬送速度、ノズル部と繊維ウエブとの間の間隙等から反射角度を予め割り出して求め、求めた反射角度に基づいてノズル部先端部の面取りを施しておくこともできる。あるいは、予め実験等により反射角度を計測して、ノズル部先端部に対して飛散水との衝突を避けるような面取りを施しておくこともできる。
【００３０】
また、前記ノズル部に対する前記飛散水受部の配設位置としては、飛散水が描く放物線の上死点近傍に配設することで、飛散水受部と飛散水との当接により飛散水が強く跳ね返るのを防止することができるとともに、繊維ウエブから飛散した飛散水を円滑に集めることができるようになる。
【００３１】
尚、ジェット水流の飛散水としては、繊維ウエブ表面からの跳ね返り水以外にも、例えば、特許文献１に記載されているような上方走行用のスクリーンベルト等を用いて繊維ウエブを搬送する場合には、スクリーンベルト等との衝突による跳ね返り水に対しても、本願発明を適用することができるものである。
【００３２】
ジェット水流の噴出側に搬送ベルトが介在しており、ジェット水流が同搬送ベルトによっても跳ね返される場合には、繊維ウエブによる反射角度と搬送ベルトによる反射角度のうち、大きな反射角度となる飛散水に対して、同飛散水が衝突しないようにノズル部先端部の面取り角度を形成しておくことができる。また、この場合には、前記飛散水受部の配設位置としても、異なる飛散水に対して効率的に飛散水を集めることができる部位に飛散水受部を配設しておくことが望ましい。
【発明を実施するための最良の形態】
【００３３】
本発明の好適な実施の形態について、添付図面に基づいて以下において具体的に説明する。本願発明の交絡処理装置の構成としては、以下で説明する形状、配置構成以外にも本願発明の課題を解決することができる形状、配置構成であれば、それらの形状、配置構成を採用することができるものである。このため、本発明は、以下に説明する実施例に限定されるものではなく、多様な変更が可能である。
【実施例】
【００３４】
図１は、本発明の実施形態に係わる交絡処理装置におけるノズル部の概略的な横断面図である。図２は、飛散水受部の概略的な縦断面図である。図３は、ノズル部の概略的な横断面図である。図４は、ノズル部の変形例を示す概略的な横断面図である。
【００３５】
図１では、図１の左から右に向かってネット状無端コンベア３により搬送される繊維ウエブ２に対して、ノズル部４からジェット水流１０を噴射して繊維ウエブ２の繊維同士を交絡させる様子を概略的に示している。図３に示すようにノズル部４は、ノズルホルダ５と同ノズルホルダ５に固定されたノズル部材６ａ、ネジ８ａ及び位置決め用のピン８ｂを介して同ノズル部材６ａに固定される押え金具６ｂとから構成されている。ノズル部４の構成は、本願発明の特徴をなすものではなく、他の周知のノズル部の構成を本願発明に対して用いることができるものである。
【００３６】
ノズルホルダ５は、内部が図示せぬ送水ポンプに連接された長尺状の形状を有しており、ネット状無端コンベア３に載置されて搬送される繊維ウエブ２の幅方向全域に亘って以下で説明するジェット水流を噴射することができるように配設されている。単一のノズルホルダ５によって、前記繊維ウエブ２の幅方向全域をカバーすることも、複数本のノズルホルダ５によって、前記繊維ウエブ２の幅方向全域をカバーする構成とすることもできる。ノズルホルダ５の下端部は長手方向に開口したスリットが形成され、同スリットを介して前記送水ポンプから供給された水をノズル部材６ａにおける長尺状の貫通孔２３に供給することができる。
【００３７】
長尺状の貫通孔２３に供給される水の水圧は、貫通孔２３における各部位で略等しい水圧となるように、前記スリットの形状及び貫通孔の形状等が調整されている。ノズル部材６ａには、長手方向に沿って複数の搾孔が形成された押え金具６ｂが、ネジ８ａ及びピン８ｂを介して着脱自在に取り付けられている。前記複数の搾孔が、ジェット水流１０用のノズル孔７として機能する。複数の搾孔を押え金具６ｂに形成する代わりに、複数の搾孔を形成したプレートをノズル部材６ａと押え金具６ｂと間で狭持する構成とすることもできる。この場合には、押え金具６ｂには、前記プレートの搾孔から噴射するジェット水流が通過する貫通孔等を形成しておくことが必要である。
【００３８】
ノズル孔７から噴射されたジェット水流１０は、ネット状無端コンベア３によって搬送される繊維ウエブ２内を貫通して繊維同士を交絡させ、繊維ウエブ２を通過したジェット水流はネット状無端コンベア３の下面側に配した吸引ボックス１１により吸引除去される。前記ジェット水流１０のうち繊維ウエブ２の表面から跳ね返った飛散水１２は、ノズル部４の上流側に配した飛散水受部１５により集められて外部に排出される。図示例では、飛散水受部１５はノズル部４の上流側に配した例を示しているが、飛散水受部１５をノズル部４の下流側にも配設することができるものである。
【００３９】
飛散水受部１５は、図２に示すように長尺体１６から構成され、長尺状のノズル部４と略平行に配されている。長尺体１６は、ネット状無端コンベア３で搬送される繊維ウエブ２の幅方向における全幅を覆う長さに形成されている。また図１、２に示すように、長尺体１６はその横断面形状において、飛散水１２を受ける凹部１７と飛散水１２を捕捉して前記凹部１７に集める受面部１８とを有している。
【００４０】
即ち、飛散水受部１５は、例えば、長手方向に延びた樋の一側縁から斜め上方に立ち上げた受面部１８が形成された構成となっている。長尺体１６の横断面形状としては、略Ｃ字状横断面形状及び略Ｊ字状横断面形状とすることができる。ここで略Ｃ字状横断面形状及び略Ｊ字状横断面形状としては、前記長尺体１６における横断面を同長尺体１６の一方の端部側から見たとき、あるいは他端部側から見たときに略Ｃ字状横断面形状及び略Ｊ字状横断面形状として認識させるものを全て包含するものである。
【００４１】
前記受面部１８により飛散水を効率的に捕捉するための形状としは、前記長尺体１６の横断面形状において飛散水が入り込む開口の開口高さを広く形成し、入口の開口から中に入るに従って狭くなっていく形状とすることができる。また、受面部の形状を外側に湾曲して膨らんだ曲線形状として、受面部に衝突した飛散水が凹部内に集まるような形状、即ち、同凹状の曲線形状の焦点領域に前記凹部１７が位置するように形成することができる。これにより、前記凹状の曲線部に衝突した飛散水を前記凹部１７内に集めることができ、受面部１８に衝突した飛散水が、長尺体１６から外側に跳ね返るのを防止することができる。また、受面部に衝突した飛散水が、受面部に沿って落下し、凹部内に集まるような形状に受面部１８を形成することもできる。
【００４２】
ノズル部４から噴射するジェット水流１０の水圧、ノズル部４のノズル孔７と繊維ウエブ２上面との間隔、繊維ウエブ２の搬送速度等がそれぞれ一定の値としたときには、繊維ウエブ２の上面から跳ね返る飛散水１２の跳ね返り角度や跳ね返るときの初速度は略一定となる。このため、予め飛散水が描く放物線の上死点近傍に凹部１７または受面部１８が配設されるように構成しておくこともできる。このとき、繊維ウエブ２の上面から跳ね返る飛散水１２が、ノズル部４、特に押え金具６ｂの側縁に衝突しないような形状にノズル部４を構成しておくことが望ましい。
【００４３】
図４に示すように、押え金具６ｂの両側縁に面取りを行い、飛散水１２が押え金具６ｂと衝突しないように構成することもできる。このとき、面取りによって飛散水１２が押え金具６ｂに衝突せずに飛散水受部１５内に集めることができるので、飛散水１２によって運ばれる繊維くずが押え金具６ｂに付着するのを防止することができる。これによって、繊維くずが押え金具６ｂの先端部に付着することにより生じる、付着した繊維くずの塊や繊維くずの周辺に付いた水滴などがボタ落ちするのを防止することができる。
【００４４】
押え金具６ｂ側縁の面取りと飛散水受部１５との併用により、より効率的に飛散水１２を捕捉することができるようになる。また、ノズル部４の上流側において効率的に飛散水１２を捕捉することができるので、飛散水１２がジェット水流による交絡前の繊維ウエブ２表面上に付着するのを防止することができるようになる。これにより、ノズル部４におけるジェット水流１０による交絡作業を阻害する水滴や繊維くずが、繊維ウエブ２表面が付着するのを防止することができ、ジェット水流１０による交絡作業を効率的に、しかも、繊維ウエブ２の裏面側までに亘って十分に交絡させることができるようになる。
【００４５】
図２に示すように飛散水受部１５の一端部には、前記凹部１７内に通水する通水口２０が設けられ、他端部には排水口２１が設けられている。通水口１７から注入した水によって、飛散水１２と共に飛散水１２に含まれる繊維くずをも洗い流して排水口２１から外部に排出することができる。飛散水受部１５は、繊維ウエブ２に対して平行状態となるように配設することも、通水口２０から排水口にかけて下り傾斜となるように配設することもできる。
【００４６】
上述したように通水口２０から排水口にかけて下り傾斜となるように配設する場合には、前記長尺体１６が下り傾斜となるように配設することも、長尺体１６内の凹部１７の形状が通水口２０から排水口２１に向かって下り勾配となるように、即ち、通水口２０から排出口２１にかけて凹部１７の深さが徐々に深くなるように形成しておくこともできる。
【００４７】
図示例では、繊維ウエブ２がネット状無端コンベア３により搬送される例を用いて説明を行ったが、繊維ウエブ２は特許文献１に記載されているように繊維ウエブ２の表面側にもネット状等の搬送ベルトを配し、繊維ウエブ２を上下の搬送ベルト等により狭持した状態で搬送させることもできる。この場合、ノズル部４から噴射されたジェット水流１０の一部は、繊維ウエブ２の表面からの跳ね返り以外にも繊維ウエブ２の表面側に配した搬送ベルトからの跳ね返りによる飛散水が発生する。
【００４８】
繊維ウエブ２の表面側の搬送ベルトによる飛散水の飛散角度等と、繊維ウエブ２の表面から跳ね返る飛散水の飛散角度等とが異なっている場合であっても、両方の飛散水を捕捉することができる部位に飛散水受部１５を配設しておくことが望ましい。また、押え金具６ｂの両側縁に形成する面取り形状も、飛散角度が大きい方の飛散水が衝突しない形状とした面取りに形成しておくことが望ましい。
【００４９】
本願発明により、吸引ボックス１１の吸引負圧を大きくしなくても、安定して交絡処理を行うことができる。また、交絡処理装置において複数のノズル部を配設した場合には、飛散水受部１５を各ノズル部に配設することができる。特に、一つのノズル部の下流部に更にノズル部が配設されている場合には、同一つのノズル部の下流側にも飛散水受部を配設しておくことが望ましい。
【産業上の利用可能性】
【００５０】
本願発明は、本願発明の技術思想を適用することができる装置等に対しては、本願発明の技術思想を適用することができる。
【図面の簡単な説明】
【００５１】
【図１】本発明の実施形態に係わる交絡処理装置におけるノズル部の概略的な横断面図である。（実施例）
【図２】飛散水受部の概略的な縦断面図である。（実施例）
【図３】ノズル部の概略的な横断面図である。（実施例）
【図４】ノズル部の変形例を示す概略的な横断面図である。（実施例）
【図５】ノズル部の概略的な横断面図である。（従来例）
【符号の説明】
【００５２】
１          交絡処理装置
２          繊維ウエブ
３          ネット状無端コンベア
４          ノズル部
５          ノズルホルダ
６ａ        ノズル部材
６ｂ        押え金具
７          ノズル孔
８ａ        ネジ
８ｂ        ピン
９ａ、ｂ    面取り
１０          ジェット水流
１１          吸引ボックス
１２          飛散水
１５          飛散水受部
１６          長尺体
１７          凹部
１８          受面部
１９          開口
２０          通水口
２１          排水口
２３          貫通孔
４０          多孔性キャリアベルト
４１          ジェットヘッド
４２          スクリーンベルト
４３          デフレクタープレート
４４          吸引チューブ
４５          不浸透性支持テーブル
４６          ギャップ
４７          吸引ボックス
【図１】
2005344259.tif 000003
【図２】
2005344259.tif 000004
【図３】
2005344259.tif 000005
【図４】
2005344259.tif 000006
【図５】
2005344259.tif 000007